(57)【要約】【課題】戸パネルの建込み作業を単独の作業者のみで安全に行え、しかも建込み作業をより少ない手間で確実に行うことができる、施工性に優れた引き戸装置を提供する。【解決手段】戸パネル３を壁面Ｗに固定した振止め構造４で開閉案内する。振止め構造４は、戸パネル３側のスライドレール１１と、同レール１１を案内するガイド体１２と、壁面Ｗに装着されてガイド体１２を支持する振止め枠１４とを備える。振止め枠１４は、ガイド体１２に固定される第１フレーム１５と、壁面Ｗに装着される第２フレーム１６と、両フレーム１５・１６を連結する締結構造１７とを備える。両フレーム１５・１６の連結部分には、仮組み状態において上下に接合される第１締結座２９と第２締結座３８が形成されている。各締結座２９・３８に、仮組み時に互いに係合して両フレーム１５・１６の分離を防ぐ第１係合体３０と第２係合体４０とが設けられている。【選択図】図１
2019206809.tif 000002
【特許請求の範囲】
【請求項１】
戸パネル（３）が、ガイドレール（２）で移動案内されるランナー体（６）と、壁面（Ｗ）に固定した振止め構造（４）で開閉自在に支持されている引き戸装置であって、
振止め構造（４）は、戸パネル（３）に固定されるスライドレール（１１）と、同レール（１１）を案内するガイド体（１２）と、戸パネル（３）と対向する壁面（Ｗ）に装着されてガイド体（１２）を支持する振止め枠（１４）とを備えており、
振止め枠（１４）は、ガイド体（１２）に固定される第１フレーム（１５）と、壁面（Ｗ）に装着されて第１フレーム（１５）と連結される第２フレーム（１６）と、両フレーム（１５・１６）を連結する締結構造（１７）とを備えており、
第１フレーム（１５）と第２フレーム（１６）の連結部分には、両フレーム（１５・１６）を仮組みした状態において、上下に接合される第１締結座（２９）および第２締結座（３８）が形成されており、
第１締結座（２９）および第２締結座（３８）に、互いに係合して両フレーム（１５・１６）の分離を防ぐ第１係合体（３０）と第２係合体（４０）とが設けられていることを特徴とする引き戸装置。
【請求項２】
第１フレーム（１５）の第１締結座（２９）の左右両側に第１係合体（３０）が形成され、第２フレーム（１６）の第２締結座（３８）の左右両側に第２係合体（４０）が形成されており、
第１係合体（３０）にはパネル側爪部（３１）が設けられ、第２係合体（４０）には壁側爪部（４１）が設けられており、
両締結座（２９・３８）を仮組みした状態において、パネル側爪部（３１）と壁側爪部（４１）が係合する請求項１に記載の引き戸装置。
【請求項３】
第２フレーム（１６）が、壁面（Ｗ）に固定した振止めベース（１３）と第２フレーム（１６）の間に設けた上下位置調整構造で上下位置調整可能に支持されており、
上下位置調整構造が、振止めベース（１３）と第２フレーム（１６）のいずれか一方に形成される上下調整溝（３９）と、他方に固定されて上下調整溝（３９）と相対スライドする調整ガイド軸（３６）とを備えている請求項１、または２に記載の引き戸装置。
【請求項４】
第１係合体（３０）と第２係合体（４０）のいずれか一方に、第２締結座（３８）を第１締結座（２９）に対して押上げ案内する仮組みガイド部（３２）が斜めに形成されている請求項２に記載の引き戸装置。
【請求項５】
締結構造（１７）が、第１締結座（２９）に上方からねじ込まれる複数のねじ体（４４）と、第２締結座（３８）に形成される複数のねじ挿通溝（４５）と、ねじ挿通溝（４５）の前端に形成されるねじ連結口（４６）で構成されており、
ねじ連結口（４６）が第２締結座（３８）の前縁で開口されている請求項１から４のいずれかひとつに記載の引き戸装置。
【請求項６】
戸パネル（３）を開閉ストロークの少なくとも一端寄りで制動しながらストローク端まで移動させるアシストユニット（５Ａ）が戸パネル（３）に配置されており、
アシストユニット（５Ａ）は、アシストケース（４９）で往復スライド自在に支持されるスライダー（５０）と、スライダー（５０）をアシストケース（４９）の一側端から他側端に向かって移動付勢する蓄力ばね（５１）と、戸パネル（３）の移動動作を開閉ストロークの一端寄りで制動するダンパーユニット（５２）とを含み、
ダンパーユニット（５２）は、シリンダー型の一対のダンパー（６４）と、アシストケース（４９）で左右スライド自在に案内されて、両ダンパー（６４）のシリンダー（６９）を支持するダンパーホルダー（６５）とを備えており、
一方のダンパー（６４）のピストンロッド（７０）はアシストケース（４９）の前記他側端のケース壁に連結され、他方のダンパー（６４）のピストンロッド（７０）は前記他側端から最も離れたスライダー（５０）の側端に設けた連結部（６０）に連結されている請求項１から５のいずれかひとつに記載の引き戸装置。
【請求項７】
引張りばねからなる蓄力ばね（５１）の一端が前記他側壁に掛止され、蓄力ばね（５１）の他端が前記他側端から最も離れたスライダー（５０）の側端に掛止されており、
蓄力ばね（５１）の中途部が、スライダー（５０）に形成したばね溝（５７）に収容されている請求項６に記載の引き戸装置。
【請求項８】
アシストユニット（５Ａ）は、スライダー（５０）で揺動可能に、かつ同行移動可能に支持される切換えレバー（７３）と、同レバー（７３）を蓄力保持姿勢と蓄力開放姿勢に切換え操作するガイド体（１２）の切換え部（２４）を備えており、
切換えレバー（７３）には、切換え部（２４）が係脱する受動凹部（７４）と、アシストケース（４９）のロック開口（７９）に係脱するロック爪（７６）が形成されており、
切換えレバー（７３）が切換え部（２４）で蓄力保持姿勢に切換え操作された状態では、ロック爪（７６）がロック開口（７９）と係合し、切換えレバー（７３）が切換え部（２４）で蓄力開放姿勢に切換え操作された状態では、ロック爪（７６）がロック開口（７９）から離脱する請求項６、または７に記載の引き戸装置。
【請求項９】
アシストケース（４９）の内部の上側から順に、一対のダンパー（６４）と、スライダー（５０）および蓄力ばね（５１）と、切換えレバー（７３）が記載順に配置されている請求項８に記載の引き戸装置。
【請求項１０】
戸パネル（３）の開放端側に、戸パネル（３）を閉じ端寄りでアシストする閉じ支援用のアシストユニット（５Ａ）が配置され、
戸パネル（３）の閉じ端側に、戸パネル（３）を開放端寄りでアシストする開放支援用のアシストユニット（５Ｂ）が配置されている請求項６から９のいずれかひとつに記載の引き戸装置。
【請求項１１】
開口枠（１）と戸パネル（３）の関係が、閉じ位置における戸パネル（３）の開放端の軌跡と、開放位置における戸パネル（３）の閉じ端の軌跡とが、開口枠（１）の開放端側の縦枠部分を間に挟んで前後に重なるように設定されており、
両アシストユニット（５Ａ・５Ｂ）の切換えレバー（７３）を、前記両軌跡が重なる部分に配置した１個のガイド体（１２）で切換え操作する請求項１０に記載の引き戸装置。
【発明の詳細な説明】
【技術分野】
【０００１】
本発明は、戸パネルを開閉案内する引き戸装置に関する。
【背景技術】
【０００２】
本発明の引き戸装置は、例えば下荷重型のアウトセット引き戸に適用されるが、この種の引き戸装置は特許文献１に公知である。特許文献１の引き戸装置は、戸板の下端に設けた走行部材（ランナー体）を床面に固定したレールで開閉移動可能に案内している。また、戸板の上端に案内レールを固定し、壁面に設けたガイド部材（振止め体）で先の案内レールを支持して戸板の前後移動を規制している。案内レールの閉じ端と開放端には制動部材受が設けられており、戸板が閉じ端寄り、あるいは開放端寄りまで開閉されたとき、ガイド部材に設けた制動部材を制動部材受で受止めて、両者の摩擦抵抗で戸板の走行移動を減衰している。制動部材受は、閉じ端と開放端において制動部材を位置保持するキャッチ作用も発揮する。制動部材受には接触調整機構が設けられており、同機構の調整ねじを調整操作することにより、制動部材と制動部材受の接触度合を調整できる。また、制動部材には前後調整機構が設けられており、同機構の調整用ねじを調整操作することにより、戸板の壁面に対する隙間を調整できる。
【先行技術文献】
【特許文献】
【０００３】
【特許文献１】特許第４７８６４７７号公報
【発明の概要】
【発明が解決しようとする課題】
【０００４】
特許文献１の引き戸装置によれば、床面にレールを固定し、壁面にガイド部材を固定したのち、戸板をレールとガイド部材の間に建込むことで、アウトセット型の引き戸を構築できる。しかし、戸板をレールとガイド部材の間に組む際には、戸板を起立保持した状態のままで、案内レールをガイド部材に上向きに差込む必要があるため、一人の作業者のみで施工を行う場合に、戸板の吊込みに手間取ることがある。また、戸板の吊込み時にバランスを崩した作業者に戸板が倒れ込むことがあり、施工時の安全性を向上するうえで改善の余地がある。
【０００５】
本発明の目的は、戸パネルの建込み作業を単独の作業者のみで安全に行え、しかも建込み作業をより少ない手間で確実に行うことができ、全体として施工性に優れた引き戸装置を提供することにある。
【課題を解決するための手段】
【０００６】
本発明の引き戸装置は、戸パネル３が、ガイドレール２で移動案内されるランナー体６と、壁面Ｗに固定した振止め構造４で開閉自在に支持されている。振止め構造４は、戸パネル３に固定されるスライドレール１１と、同レール１１を案内するガイド体１２と、戸パネル３と対向する壁面Ｗに装着されてガイド体１２を支持する振止め枠１４とを備えている。振止め枠１４は、ガイド体１２に固定される第１フレーム１５と、壁面Ｗに装着されて第１フレーム１５と連結される第２フレーム１６と、両フレーム１５・１６を連結する締結構造１７とを備えている。第１フレーム１５と第２フレーム１６の連結部分には、両フレーム１５・１６を仮組みした状態において、上下に接合される第１締結座２９および第２締結座３８が形成されている。第１締結座２９および第２締結座３８に、互いに係合して両フレーム１５・１６の分離を防ぐ第１係合体３０と第２係合体４０とが設けられていることを特徴とする。
【０００７】
第１フレーム１５の第１締結座２９の左右両側に第１係合体３０を形成し、第２フレーム１６の第２締結座３８の左右両側に第２係合体４０を形成する。第１係合体３０にはパネル側爪部３１を設け、第２係合体４０には壁側爪部４１を設ける。両締結座２９・３８を仮組みした状態において、パネル側爪部３１と壁側爪部４１が係合する。
【０００８】
第２フレーム１６は、壁面Ｗに固定した振止めベース１３と第２フレーム１６の間に設けた上下位置調整構造で上下位置調整可能に支持されている。上下位置調整構造は、振止めベース１３と第２フレーム１６のいずれか一方に形成される上下調整溝３９と、他方に固定されて上下調整溝３９と相対スライドする調整ガイド軸３６とを備えている。
【０００９】
第１係合体３０と第２係合体４０のいずれか一方に、第２締結座３８を第１締結座２９に対して押上げ案内する仮組みガイド部３２が斜めに形成されている。
【００１０】
締結構造１７は、第１締結座２９に上方からねじ込まれる複数のねじ体４４と、第２締結座３８に形成される複数のねじ挿通溝４５と、ねじ挿通溝４５の前端に形成されるねじ連結口４６で構成されている。ねじ連結口４６は第２締結座３８の前縁で開口されている。
【００１１】
戸パネル３を開閉ストロークの少なくとも一端寄りで制動しながらストローク端まで移動させるアシストユニット５Ａを戸パネル３に配置する。アシストユニット５Ａは、アシストケース４９で往復スライド自在に支持されるスライダー５０と、スライダー５０をアシストケース４９の一側端から他側端に向かって移動付勢する蓄力ばね５１と、戸パネル３の移動動作を開閉ストロークの一端寄りで制動するダンパーユニット５２とを含む。図７に示すようにダンパーユニット５２は、シリンダー型の一対のダンパー６４と、アシストケース４９で左右スライド自在に案内されて、両ダンパー６４のシリンダー６９を支持するダンパーホルダー６５とを備えている。一方のダンパー６４のピストンロッド７０はアシストケース４９の前記他側端のケース壁に連結し、他方のダンパー６４のピストンロッド７０は前記他側端から最も離れたスライダー５０の側端に設けた連結部６０に連結する。
【００１２】
引張りばねからなる蓄力ばね５１の一端は前記他側壁に掛止され、蓄力ばね５１の他端は前記他側端から最も離れたスライダー５０の側端に掛止されている。蓄力ばね５１の中途部は、スライダー５０に形成したばね溝５７に収容されている。
【００１３】
アシストユニット５Ａは、スライダー５０で揺動可能に、かつ同行移動可能に支持される切換えレバー７３と、同レバー７３を蓄力保持姿勢と蓄力開放姿勢に切換え操作するガイド体１２の切換え部２４を備えている。図８に示すように、切換えレバー７３には、切換え部２４が係脱する受動凹部７４と、アシストケース４９のロック開口７９に係脱するロック爪７６が形成されている。切換えレバー７３が切換え部２４で蓄力保持姿勢に切換え操作された状態では、ロック爪７６がロック開口７９と係合し、切換えレバー７３が切換え部２４で蓄力開放姿勢に切換え操作された状態では、ロック爪７６がロック開口７９から離脱する。
【００１４】
アシストケース４９の内部の上側から順に、一対のダンパー６４と、スライダー５０および蓄力ばね５１と、切換えレバー７３が記載順に配置されている。
【００１５】
戸パネル３の開放端側に、戸パネル３を閉じ端寄りでアシストする閉じ支援用のアシストユニット５Ａが配置されている。戸パネル３の閉じ端側に、戸パネル３を開放端寄りでアシストする開放支援用のアシストユニット５Ｂが配置されている。
【００１６】
開口枠１と戸パネル３の関係が、閉じ位置における戸パネル３の開放端の軌跡と、開放位置における戸パネル３の閉じ端の軌跡とが、開口枠１の開放端側の縦枠部分を間に挟んで前後に重なるように設定されている。両アシストユニット５Ａ・５Ｂの切換えレバー７３を、前記両軌跡が重なる部分に配置した１個のガイド体１２で切換え操作する。
【発明の効果】
【００１７】
本発明における引き戸装置では、それぞれ独立した部品からなる第１フレーム１５および第２フレーム１６で振止め枠１４を構成し、各フレーム１５・１６の第１締結座２９と第２締結座３８に、仮組み時に互いに係合する第１係合体３０と第２係合体４０を設けた。こうした引き戸装置によれば、第１フレーム１５と第２フレーム１６とを連結することで、第１係合体３０と第２係合体４０を互いに係合させて、戸パネル３を仮組み状態に保持することができる。また、戸パネル３を仮組みしたのちの作業者は、戸パネル３から手を離して戸パネル３の垂直姿勢の確認作業や、ねじ体４４の締結作業を行うことができるので、従来の引き戸装置に比べて、戸パネル３の建込み作業を単独の作業者のみで安全に、しかもより少ない手間で確実に行うことができる。以上より、本発明によれば、施工性に優れた引き戸装置を提供できる。
【００１８】
第１締結座２９の左右両側にパネル側爪部３１を備えた第１係合体３０を設け、第２締結座３８の左右両側に壁側爪部４１を備えた第２係合体４０を設けるようにした。こうした振止め構造４によれば、両締結座２９・３８を仮組みした状態において、パネル側爪部３１と壁側爪部４１が係合して、戸パネル３が壁面Ｗから離れる向きに傾くことを防止できる。また、各締結座２９・３８の左右両側に第１係合体３０と第２係合体４０が設けられているので、仮組み状態において第１締結座２９と第２締結座３８が左右にずれ動くことを第１係合体３０または第２係合体４０で規制して、ねじ体４４による両締結座２９・３８の締結をさらに的確に行うことができる。
【００１９】
振止めベース１３と第２フレーム１６の間に、上下調整溝３９と調整ガイド軸３６を備えた上下位置調整構造を設けて、第２フレーム１６を振止めベース１３で上下スライド可能に案内支持するようにした。こうした振止め構造４によれば、下荷重型の戸パネル３を開閉するとき、第２フレーム１６が上下動することでガイドレール２の不陸を吸収することができるので、ランナー体６が下凹み状の不陸部分を通過するとき、脱輪することをよく防止できる。
【００２０】
第１係合体３０と第２係合体４０のいずれか一方に、仮組みガイド部３２が形成された振止め構造４によれば、戸パネル３を第２フレーム１６へ向かって押込み操作する際に、第２締結座３８を仮組みガイド部３２で上向きに移動させて、第１係合体３０が第２係合体４０の下面側を潜り抜けるのを補助できる。また、第１係合体３０が第２係合体４０の下面側を潜り抜けるのと同時に、第２フレーム１６が自重で落下して、第２締結座３８が第１締結座２９の上面で支持され、第２係合体４０が第１係合体３０の前側に落ち込んで仮組み状態を保持する。従って、第１係合体３０を第２係合体４０に係合させる手間を省いて、戸パネル３を第２フレーム１６へ向かって押込み操作するだけで、戸パネル３の仮組み作業を簡便に行える。
【００２１】
第１締結座２９にねじ込まれる複数のねじ体４４と、第２締結座３８に形成される複数のねじ挿通溝４５と、ねじ挿通溝４５の前端に形成されるねじ連結口４６で、締結構造１７を構成した。また、ねじ連結口４６は第２締結座３８の前縁で開口させるようにした。こうした振止め構造４によれば、第１フレーム１５と第２フレーム１６の左右方向の位置合わせを行うとき、ねじ体４４のねじ軸をねじ連結口４６に落込ませることにより、第１締結座２９と第２締結座３８を大まかに位置決めできる。また、大まかに位置決めされた状態で、戸パネル３を第２フレーム１６に向かって押し込み操作することで、ねじ体４４をねじ挿通溝４５に係合させて、両締結座２９・３８をより正確に位置決めし、同時に両締結座２９・３８が左右にずれ動くのを規制できる。従って、戸パネル３の仮組み作業をさらに的確に行える。また、ねじ体４４を第１締結座２９に上方からねじ込むので、ねじ体４４による両締結座２９・３８の締結作業を、振止め構造の上側の自由空間で確実にしかも簡便に行える。
【００２２】
アシストユニット５Ａは、往復スライド自在なスライダー５０と、スライダー５０を移動付勢する蓄力ばね５１と、戸パネル３の移動動作を制動するダンパーユニット５２などを備えるようにした。また、ダンパーユニット５２は、一対のダンパー６４と、両ダンパー６４のシリンダー６９を支持するダンパーホルダー６５を備えるようにした。こうしたアシストユニット５Ａによれば、一対のダンパー６４におけるピストンロッド７０の出退ストロークを、制動ストロークの約半分程度に小さくすることができるので、その分だけダンパーユニット５２の左右長さを小さくしてアシストユニット５Ａをコンパクトに構成できる。従って、パネル幅が小さな戸パネル３であっても、アシストユニット５Ａを問題なく適用できる。
【００２３】
蓄力ばね５１はアシストケース４９の一側壁と、同壁から最も離れたスライダー５０の側端に掛止して、その中途部がスライダー５０に形成したばね溝５７に収容されるようにした。こうしたアシストユニット５Ａによれば、スライダー５０のスライドスペースを利用して、蓄力ばね５１をスライダー５０と平行に配置できるので、蓄力ばね５１の配置スペースが別途確保されている場合に比べて、アシストユニット５Ａを小形化しコンパクト化できる。
【００２４】
アシストユニット５Ａは、先の部材以外に、スライダー５０で揺動可能に、かつ同行移動可能に支持される切換えレバー７３と、同レバー７３を蓄力保持姿勢と蓄力開放姿勢に切換え操作するガイド体１２の切換え部２４を備えるようにした。また、切換えレバー７３には、切換え部２４が係脱する受動凹部７４と、ロック開口７９に係脱するロック爪７６を形成した。こうしたアシストユニット５Ａによれば、切換えレバー７３が切換え部２４で蓄力保持姿勢に切換え操作された状態では、ロック爪７６がロック開口７９と係合してスライダー５０の移動を阻止し、蓄力ばね５１を最大伸張姿勢に保持する。また、切換えレバー７３が切換え部２４で蓄力開放姿勢に切換え操作された状態では、ロック爪７６がロック開口７９から離脱してスライダー５０の移動を許し、蓄力ばね５１がスライダー５０を引寄せ操作する。このようにアシストユニット５Ａを備えた引き戸装置によれば、開閉ストロークの端部寄りからストローク端まで、戸パネル３にダンパー６４の制動力を作用させながら、蓄力ばね５１の付勢力でゆっくりと移動させることができる。
【００２５】
アシストケース４９の内部の上側から順に、一対のダンパー６４と、スライダー５０および蓄力ばね５１と、切換えレバー７３を記載順に配置するようにした。こうしたアシストユニット５Ａによれば、同ユニット５Ａの前後厚みを小さくできるので、前後厚みが小さな戸パネル３であっても、アシストユニット５Ａを支障なく組込むことができる。
【００２６】
戸パネル３の開放端側と閉じ端側に、閉じ支援用のアシストユニット５Ａと、開放支援用のアシストユニット５Ｂを配置した。こうした引き戸装置によれば、閉じ端側と開放端側の双方において、戸パネル３をアシストユニット５Ａ・５Ｂで閉じ支援し、あるいは開放支援できる。従って、ユーザーが戸パネル３を閉じ端や開放端まで開閉する手間を省いて、引き戸装置の使い勝手を向上できる。
【００２７】
一対のアシストユニット５Ａ・５Ｂの切換えレバー７３を１個の切換え部２４で切換え操作できるようにした引戸装置によれば、個々のアシストユニット５Ａ・５Ｂに対応して切換え部２４を２個所に設ける必要がなく、その分だけ戸パネル３のアシスト構造を簡素化して低コスト化できる。
【図面の簡単な説明】
【００２８】
【図１】実施例１に係る本発明の引き戸装置を構成する振止め構造の縦断側面図である。
【図２】引き戸装置の正面図である。
【図３】振止め構造の分解斜視図である。
【図４】図５におけるＡ−Ａ線断面図である。
【図５】振止め構造の平面図である。
【図６】振止め構造が仮組みされた状態を示す縦断側面図である。
【図７】アシストユニットの縦断正面図である。
【図８】アシストユニットの切換え構造を示す横断平面図である。
【図９】戸パネルの建込み手順を示す一部破断側面図である。
【図１０】仮組み時の第１フレームと第２フレームの動作を示す縦断側面図である。
【図１１】切換えレバーが蓄力保持姿勢から蓄力開放姿勢に切換え操作される動作を示す動作説明図である。
【図１２】切換えレバーが蓄力開放姿勢から蓄力保持姿勢に切換え操作される動作を示す動作説明図である。
【図１３】実施例２に係る本発明の引き戸装置を構成する振止め構造の分解側面図である。
【図１４】振止め構造の仮組み動作を示す動作説明図である。
【図１５】実施例３に係る本発明の引き戸装置を構成する振止め構造の分解斜視図である。
【図１６】振止め構造の仮組み動作を示す縦断側面図である。
【図１７】実施例４に係る本発明の引き戸装置を構成する振止め構造の分解側面図である。
【発明を実施するための形態】
【００２９】
（実施例１）  図１から図１２に、本発明をアウトセット型の引き戸装置に適用した実施例１を示す。本発明における前後、左右、上下とは、図２および図３に示す交差矢印と、各矢印の近傍に表示した前後、左右、上下の文字表示に従う。図２において引き戸装置は、開口枠１の床面側に配置したガイドレール２と、同レール２で開閉自在に案内支持される木質系の戸パネル３と、戸パネル３の前後動を規制する振止め構造４と、戸パネル３の上部に配置される一対のアシストユニット５Ａ・５Ｂなどで構成される。戸パネル３の左右の下隅には、ガイドレール２で移動案内される戸車（ランナー体）６が設けられており、戸パネル３の閉じ端寄りの前後のパネル面には把手７が装着されている。
【００３０】
図３および図６に示すように振止め構造４は、戸パネル３の上端に形成した装着部１０に固定されるスライドレール１１と、同レール１１をスライド案内するガイド体１２と、戸パネル３の上部後面と正対する壁面Ｗに装着される振止めベース１３と、同ベース１３に装着されてガイド体１２を支持する振止め枠１４とを備えている。戸パネル３を振止め構造４に対して簡便に組むために、振止め枠１４は、ガイド体１２に固定される第１フレーム１５と、振止めベース１３に装着されて第１フレーム１５に連結される第２フレーム１６と、両フレーム１５・１６を連結する締結構造１７とで構成する。
【００３１】
図６に示すように、スライドレール１１は断面がＬ字状のアルミニウム条材からなり、装着部１０の底面に接合される底壁２０と、底壁２０に連続して装着部１０の後開口の下半側を塞ぐ縦壁２１と、縦壁２１の前面と底壁２０の上面から突設される上下一対のレール壁２２を一体に備えている。スライドレール１１は戸パネル３の一側端から他側端にわたって配置されて、その両端が図示していないキャップで塞いである。ガイド体１２は、滑性に優れたプラスチック材を素材とする成形品からなり、図４に示すように横長長方形状に形成されて、その上下に先のレール壁２２を案内するガイド溝２３が凹み形成されている。ガイド体１２の前面の左右中央には、後述する切換えレバー７３を切換え操作する四角形状の切換え部２４が一体に設けられている。
【００３２】
第１フレーム１５は逆Ｌ字状のプレス金具からなり、ガイド体１２の前面に接合される縦壁２８と、縦壁２８に連続して後向きに折曲げられる水平の第１締結座２９を一体に備えている。縦壁２８は、ガイド体１２に対して左右一対のリベット（締結具）２７で固定されている。第１締結座２９の左右両側には、矢印形の第１係合体３０が下向きに折り曲げ形成されており、第１係合体３０の上縁後部に、パネル側爪部３１が第１締結座２９より上方に突出する状態で設けられている。また、パネル側爪部３１に隣接して、第１係合体３０の後端へ向かって下り傾斜する仮組みガイド部３２が形成されている。一対の第１係合体３０の対向間隔は、後述する第２締結座３８の左右寸法より僅かに大きく設定されている。
【００３３】
振止めベース１３は十文字状の金属板材からなり、左右に張出された締結座のそれぞれが、壁面Ｗに上下一対のビス３５で固定されている。壁面Ｗに固定された振止めベース１３は、左側の締結座が開口枠１の開放端側の縦枠部分に隣接している（図３、図４参照）。上下に張出された締結座には第２フレーム１６を支持する調整ガイド軸３６がかしめ固定してある。戸パネル３の左右幅は、開口枠１の開口幅より大きく設定してある。そのため、戸パネル３が閉じ位置にあるとき、振止め構造４の前面は図１１（ｄ）に示すように戸パネル３の開放端側のパネル面で覆われている。同様に、戸パネル３が開放位置にあるとき、振止め構造４の前面は戸パネル３の閉じ端側のパネル面で覆われている。このように開口枠１と戸パネル３の関係は、閉じ位置における戸パネル３の開放端の軌跡と、開放位置における戸パネル３の閉じ端の軌跡とが、開口枠１の開放端側の縦枠部分を間に挟んで前後に重なるように設定されている。こうすることにより、各アシストユニット５Ａ・５Ｂの切換えレバー７３を、前記両軌跡が重なる部分に配置した１個のガイド体１２で切換え操作することができる。
【００３４】
第２フレーム１６は、逆Ｌ字状のプレス金具からなり、振止めベース１３の前面に接合される縦壁３７と、縦壁３７に連続して前向きに折曲げられる水平の第２締結座３８を一体に備えている。第２フレーム１６は、振止めベース１３と第２フレーム１６の間に設けた上下位置調整構造で上下位置調整可能に支持されている。上下位置調整構造は、縦壁３７の上下に形成した一対の縦長の上下調整溝３９と、先の調整ガイド軸３６からなり、上下調整溝３９を調整ガイド軸３６で上下スライド自在に案内している。このように、第２フレーム１６が振止めベース１３で上下スライド可能に案内支持してあると、ガイドレール２の不陸を第２フレーム１６が上下動することで吸収できるので、戸パネル３を開閉するとき下凹み状の不陸部分を通過する戸車６が脱輪するのをよく防止できる。第２締結座３８の前部の左右両側には、第２締結座３８と面一の矩形の第２係合体４０が横向きに張出し形成してあり、その後縁に第１係合体３０のパネル側爪部３１を受止める壁側爪部４１が設けてある。
【００３５】
両フレーム１５・１６を連結する締結構造１７は、第１締結座２９のねじ穴に上方からねじ込まれる左右一対のボルト（ねじ体）４４と、ボルト４４に対応して第２締結座３８に形成される左右一対のねじ挿通溝４５と、ねじ挿通溝４５の前端に形成されるねじ連結口４６を備えている。この実施例では、ねじ挿通溝４５を第２締結座３８の前縁から後縁に向かって形成し、ねじ連結口４６が、ねじ挿通溝４５の前開口において前拡がり状に傾斜するように形成した。加えて、左右のねじ挿通溝４５に連続する第２締結座３８の前縁を、左右のねじ挿通溝４５に挟まれる第２締結座３８の前縁より僅かに前方へ突出させて、ボルト４４をねじ挿通溝４５に誘導しやすくしている。
【００３６】
戸パネル３を開閉ストロークの端部寄りで制動しながら、開閉ストロークの端部までゆっくりと移動させるために、装着部１０に一対のアシストユニット５Ａ・５Ｂを設けている。詳しくは、装着部１０の開放端側に戸パネル３を閉じ端寄りでアシストする閉じ支援用のアシストユニット５Ａを設け、装着部１０の閉じ端側に戸パネル３を開放端寄りでアシストする開放支援用のアシストユニット５Ｂを設けている。一対のアシストユニット５Ａ・５Ｂは左右対称構造であるので、前者のアシストユニット５Ａの構造について説明し、後者のアシストユニット５Ｂは同じ部材に同じ符号を付してその説明を省略する。
【００３７】
図６、図７に示すようにアシストユニット５Ａは、装着部１０に固定されるアシストケース４９と、同ケース４９で往復スライド自在に支持されるスライダー５０と、スライダー５０とアシストケース４９の間に配置される蓄力ばね５１と、スライダー５０とガイド体１２との間に設けられる切換え構造と、戸パネル３の移動動作を制動するダンパーユニット５２などで構成する。アシストケース４９は横長のケース本体５３とカバー５４とからなり、カバー５４の内面の上下に設けたガイドリブ５５・５６で、スライダー５０とダンパーユニット５２を左右スライド自在に案内している。アシストケース４９は、その左右両端と左右中途部の３個所がビス６２で装着部１０に固定されている（図７参照）。
【００３８】
スライダー５０は、滑性に優れたプラスチック材を素材とする横長矩形状のプラスチックブロックからなり、その前面に蓄力ばね５１を収容するためのばね溝５７が形成され、後面に先のガイドリブ５５で案内されるスライド溝５８が形成されている。スライダー５０の下面には、後述する切換えレバー７３を支持する支軸５９が突設されており、上面にはダンパー６４を連結するための連結部６０が突設されている（図７参照）。ケース本体５３の底壁には、支軸５９のスライド移動を許す逃げ溝６１が形成されている。蓄力ばね５１は引張りばねからなり、図７に示すように、一端がケース本体５３の右側壁に固定され、他端がスライダー５０の左側端に固定されて、スライダー５０を右側壁へ向かって引張り付勢している。上記のように、蓄力ばね５１の中途部をスライダー５０のばね溝５７に収容するアシストユニット５Ａによれば、スライダー５０のスライドスペースを利用して、蓄力ばね５１をスライダー５０と平行に配置できるので、蓄力ばね５１の配置スペースが別途確保してある場合に比べて、アシストユニット５Ａを小形化しコンパクト化できる。また、蓄力ばね５１の付勢力をスライダー５０の中心付近に作用させて、スライダー５０を円滑にスライド移動させることもできる。
【００３９】
ダンパーユニット５２は、シリンダー形の２個のダンパー６４・６４を、左右に長い矩形枠状のダンパーホルダー６５の装着座に、上下に隣接する状態で嵌合装着して構成される。ダンパー６４・６４は、シリンダー６９・６９の内部にオイルが封入されたシリンダー型のオイルダンパーからなる。シリンダー６９・６９の前周面は、ケース本体５３の内面に形成した部分円弧状のガイド凹部６７で保持されている。ダンパーホルダー６５の後面にはガイドリブ５６で案内されるスライド溝６８が形成されている。ダンパーホルダー６５がスライダー５０に同行して移動するとき、ダンパー６４・６４のシリンダー６９・６９もダンパーホルダー６５と同行移動する。２個のダンパー６４・６４のうち、下側のダンパー６４のピストンロッド７０はスライダー５０の連結部６０に連結され、上側のダンパー６４のピストンロッド７０は、蓄力ばね５１が固定されたケース本体５３の右側壁に固定されている。
【００４０】
図８に示すように切換え構造は、スライダー５０の支軸５９で揺動可能に支持される板状の切換えレバー７３と、ガイド体１２に設けた切換え部２４で構成される。切換えレバー７３の後縁には切換え部２４が係脱するコ字形の受動凹部７４と、傾動規制片７５が形成され、同レバー７３の前部の左側端にはロック爪７６が一体に設けられている。切換えレバー７３の大半の部分は、アシストケース４９の内部に収容されているが、受動凹部７４に臨む角部７７と傾動規制片７５は、カバー５４に形成した溝開口７８の外に露出されている。ケース本体５３の前壁には、ロック爪７６が係脱するロック開口７９が形成されている。
【００４１】
切換えレバー７３は切換え部２４で切換え操作されて、図８に示すようにロック爪７６がロック開口７９に係合する蓄力保持姿勢と、ロック爪７６がロック開口７９から離脱する蓄力開放姿勢（図１１（ｃ）に示す状態）に切換え操作される。切換えレバー７３が蓄力保持姿勢に切換えられた状態における蓄力ばね５１は、最大伸張姿勢に保持されている。また、切換えレバー７３が蓄力開放姿勢に切換えられた状態における蓄力ばね５１は、スライダー５０をダンパー６４側へ引寄せて、戸パネル３を閉じストロークの端部まで移動させる。その詳細は後述する。
【００４２】
次に、引き戸装置の施工手順を説明する。まず、戸パネル３に戸車６を組み、装着部１０に一対のアシストユニット５Ａ・５Ｂとスライドレール１１を組む。また、第１締結座２９にボルト４４をねじ込んだ状態で、第１フレーム１５が一体化されたガイド体１２を、スライドレール１１のレール壁２２に組付ける。このとき、ボルト４４の操作頭部と第１締結座２９の間に、第２締結座３８の厚みより大きな間隔を確保しておく。床面の所定の位置にガイドレール２を固定し、第２フレーム１６が一体化された振止めベース１３を壁面Ｗの所定位置にビス３５で固定する。次に、図９に示すように戸車６をガイドレール２に落とし込んだ状態で戸パネル３を起立させ、第１フレーム１５が第２フレーム１６と正対する位置まで戸パネル３を移動させる。
【００４３】
上記の状態で戸パネル３を第２フレーム１６に向かって押し込み操作すると、図１０（ａ）に示すように、第１係合体３０の仮組みガイド部３２が第２係合体４０の前縁の下面に接当するため、第２フレーム１６は調整ガイド軸３６に案内されて徐々に上向きに押上げられて、第１係合体３０が第２係合体４０の下面側を潜り抜けるのを補助する。戸パネル３をさらに接近させて、第１係合体３０が第２係合体４０の下面側を潜り抜けたら、第２フレーム１６が自重で落下して、図１０（ｂ）に示すように第２締結座３８が第１締結座２９の上面で支持され、同時に第２係合体４０が第１係合体３０の前側に落ち込んで仮組み状態を保持する。従って、戸パネル３を第２フレーム１６へ向かって押込み操作するだけで、戸パネル３の仮組み作業を簡便に行って、第１係合体３０を第２係合体４０に係合させる手間を省くことができる。
【００４４】
また、パネル側爪部３１の上端が第２係合体４０の下面を潜り抜ける間に、戸パネル３を左右に調整移動することにより、ボルト４４のねじ軸がねじ連結口４６に落ち込み係合するので、以後は戸パネル３を押込み操作することで、ボルト４４のねじ軸をねじ挿通溝４５に係合させて、仮組み状態に保持できる。最後に、パネル上部を前後に調整移動したのち、図１に示すように戸パネル３が垂直姿勢になった状態でボルト４４を締込んで、第２締結座３８と第１締結座２９を固定する。このとき、ボルト４４が第１締結座２９に上方からねじ込んであるので、ボルト４４による両締結座２９・３８の締結作業を、振止め構造の上側の自由空間で確実にしかも簡便に行える。
【００４５】
上記のように実施例１の引き戸装置によれば、第１フレーム１５と第２フレーム１６の位置合わせを行い、さらにボルト４４のねじ軸がねじ連結口４６に接当する状態で、戸パネル３を第２フレーム１６へ向かって押込み操作することにより、第１係合体３０と第２係合体４０を互いに係合させて、戸パネル３を仮組み状態に保持することができる。従って、従来の引き戸装置に比べて、戸パネル３の建込み作業を単独の作業者のみで安全に行える。また、戸パネル３を仮組みしたのちの作業者は、戸パネル３を起立状態のままで支持し続ける必要がない。そのため、戸パネル３から手を離して、ボルト４４を締込むために脚立を準備し、あるいは戸パネル３の垂直姿勢の確認作業や、ボルト４４の締結作業を行うなど、戸パネル３の建込み作業をより少ない手間で確実に行うことができ、全体として施工性に優れた引き戸装置を提供できる。
【００４６】
次に、戸パネル３が開閉されるときのアシストユニット５Ａ・５Ｂの作動状況を説明する。戸パネル３が全開放された状態では、アシストユニット５Ａの切換えレバー７３は蓄力保持姿勢に切換っており、蓄力ばね５１は図１１（ａ）に示すように最大伸張姿勢に保持されている。また、アシストユニット５Ｂの切換えレバー７３は蓄力開放姿勢に切換っており、蓄力ばね５１は最小収縮姿勢に保持されている。この状態から戸パネル３が閉じ操作されて閉じ端寄りまで接近すると、切換えレバー７３の受動凹部７４がガイド体１２の切換え部２４に接当するため、切換えレバー７３は図１１（ｂ）に示すように時計回転方向へ揺動操作され、図１１（ｃ）に示すように、そのロック爪７６がロック開口７９から離脱して、角部７７が切換え部２４で受止められる。
【００４７】
上記の状態のスライダー５０は、蓄力ばね５１のばね力を受けてケース本体５３の右側壁へ向かってスライド移動する。また、スライダー５０が移動するのに伴って、図７において下側のダンパー６４のピストンロッド７０がシリンダー６９内へ押込まれて、ダンパー６４から制動力を受ける。スライダー５０がさらにスライドして連結部６０がダンパーホルダー６５に接当すると、ダンパーユニット５２がスライダー５０に同行して移動する。その結果、図７において上側のダンパー６４のピストンロッド７０がシリンダー６９内へ押込まれて、ダンパー６４から制動力を受ける。図１１（ｄ）に示すように、戸パネル３が閉じ端まで移動したときの蓄力ばね５１は最小収縮姿勢に切換わる。このように、一対のダンパー６４は順に制動力を発揮して戸パネル３を連続して制動する。
【００４８】
戸パネル３が閉じ端から開放操作されると、図１２（ｂ）に示すように、切換えレバー７３の角部７７が切換え部２４で受止められた状態のままで、ケース本体５３が戸パネル３に同行して開放方向へ移動する。このときのスライダー５０は、切換えレバー７３と共に切換え部２４で移動不能に保持されているので、蓄力ばね５１はケース本体５３が移動する向きに引伸ばされながら徐々にばね力を蓄える。そして、蓄力ばね５１が最大伸張姿勢に近づくと、図１２（ｂ）に示すように、ケース本体５３のロック開口７９が切換えレバー７３のロック爪７６の下面に接近する。この状態の切換えレバー７３は、角部７７が切換え部２４で受止められているので、反時計回転方向へ揺動しようとする。そのため、図１２（ｃ）に示すように、ロック開口７９の右側縁がロック爪７６の下面を潜り抜けるのと同時に、ロック爪７６がロック開口７９に落込む向きに切換えレバー７３が揺動し、蓄力ばね５１が最大伸張姿勢に保持される。以後、スライダー５０はケース本体５３に同行して移動し、切換えレバー７３は切換え部２４の下面側を通り抜けて、切換え部２４から離れて行く。
【００４９】
先に説明したように、一対のアシストユニット５Ａ・５Ｂは左右対称に配置してあり、前者ユニット５Ａが閉じ端側で作動するのに対し、後者ユニット５Ｂは開放端側で作動する点が異なる。以下では、アシストユニット５Ｂの作動状況の概略を説明する。戸パネル３が全開放された状態におけるアシストユニット５Ｂの切換えレバー７３は、蓄力開放姿勢に切換っており、蓄力ばね５１は最小収縮姿勢に保持されている。この状態から戸パネル３が閉じ操作される間に、アシストユニット５Ｂ側の切換えレバー７３の受動凹部７４がガイド体１２の切換え部２４で捕捉され、その状態のままでケース本体５３が戸パネル３に同行して閉じ方向へ移動する。このときのスライダー５０は、切換えレバー７３と共に切換え部２４で移動不能に保持されているので、蓄力ばね５１はケース本体５３が移動する閉じ方向に引伸ばされながら徐々にばね力を蓄える。そして、ロック爪７６がロック開口７９に落込むことにより、蓄力ばね５１が最大伸張姿勢に保持される。
【００５０】
戸パネル３が開放端寄りまで開放移動すると、切換えレバー７３の受動凹部７４がガイド体１２の切換え部２４で捕捉され、切換えレバー７３が揺動して、そのロック爪７６がロック開口７９から離脱し、角部７７が切換え部２４で受止められる。この状態のスライダー５０は、蓄力ばね５１のばね力を受けてスライド移動する。また、スライダー５０が移動するのに伴って、ダンパー６４のピストンロッド７０がシリンダー６９内へ押込まれて、ダンパー６４から制動力を受ける。スライダー５０がさらにスライドして連結部６０がダンパーホルダー６５に接当すると、ダンパーユニット５２がスライダー５０に同行して移動する。その結果、上側のダンパー６４のピストンロッド７０がシリンダー６９内へ押込まれて、ダンパー６４から制動力を受ける。戸パネル３が開放端まで移動したときの蓄力ばね５１は最小収縮姿勢に切換わる。
【００５１】
以上のように、一対のアシストユニット５Ａ・５Ｂが戸パネル３に設けられている引き戸装置によれば、閉じ端寄り（あるいは開放端寄り）から閉じ位置（あるいは開放位置）まで、戸パネル３にダンパー６４の制動力を作用させながらゆっくりと移動させることができる。従って、使用者はロック爪７６がロック開口７９から離脱する位置まで戸パネル３を閉じ操作（あるいは開放操作）するだけでよく、以後は、アシストユニット５Ａ（あるいは５Ｂ）が戸パネル３を自動的に閉じ位置（あるいは開放位置）まで移動操作する。このように、一対のアシストユニット５Ａ・５Ｂを備えた引き戸装置によれば、ユーザーが戸パネル３を閉じ端や開放端まで開閉する手間を省いて、引き戸装置の使い勝手を向上できる。また、戸パネル３が勢いよく開閉される場合でも、戸パネル３に各アシストユニット５Ａ・５Ｂの制動力を作用させてゆっくりと移動できるので、閉じ位置（あるいは開放位置）において手指が開口枠１と戸パネル３の間に挟まれることを解消できる。さらに、一対のアシストユニット５Ａ・５Ｂの切換えレバー７３を１個の切換え部２４で切換え操作できるので、個々のアシストユニット５Ａ・５Ｂに対応して切換え部２４を２個所に設ける必要がなく、その分だけ戸パネル３のアシスト構造を簡素化して低コスト化できる。
【００５２】
戸パネル３が閉じ位置まで移動した場合、あるいは戸パネル３が開放位置まで移動した場合の振止め構造４は、その前面が戸パネル３で完全に覆われている。そのため、とくにデザインや外観上の印象が重視される引き戸装置において、振止め構造４を好適に応用できる利点がある。また、振止め構造４は、開口枠１に隣接する状態で、戸パネル３の開閉ストロークの中央付近の１か所に配置してあればよいので、開放操作された戸パネル３が戸袋内に収容される引き戸装置の場合でも、必要に応じて振止め構造４の交換や補修を支障なく行うことができる。
【００５３】
上下に隣接する一対のダンパー６４と、両ダンパー６４を支持するダンパーホルダー６５でダンパーユニット５２を構成し、各ダンパー６４のピストンロッド７０をアシストケース４９の右側壁（他側端）と、スライダー５０の左端の連結部６０に連結するようにした。こうしたアシストユニット５Ａ・５Ｂによれば、各ダンパー６４におけるピストンロッド７０の出退ストロークを、制動ストロークの約半分程度に小さくすることができるので、その分だけダンパーユニット５２の左右長さを小さくしてアシストユニット５Ａ・５Ｂをコンパクトに構成できる。従って、パネル幅が小さな戸パネル３であっても、アシストユニット５Ａ・５Ｂを問題なく適用できる。アシストケース４９の内部の上側から順に、一対のダンパー６４と、スライダー５０および蓄力ばね５１と、切換えレバー７３を記載順に配置するようにした。こうしたアシストユニット５Ａ・５Ｂによれば、同ユニット５Ａ・５Ｂの前後厚みを小さくできるので、前後厚みが小さな戸パネル３であっても、アシストユニット５Ａ・５Ｂを支障なく組込むことができる。
【００５４】
（実施例２）  図１３および図１４に、実施例２に係る本発明の引き戸装置を構成する振止め構造４を示す。この実施例２では、第２フレーム１６の第２係合体４０の前部分に逆ヘ字状の第２の仮組みガイド部８２を一体に形成し、さらにねじ挿通溝４５の前端にボルト４４の操作頭部の出入りを許す円形のねじ連結口４６を形成している。他は実施例１と同じであるので、同じ部材に同じ符号を付してその説明を省略する。以下の実施例においても同じとする。
【００５５】
戸パネル３を建込む場合には、戸車６をガイドレール２に落とし込んだ状態で戸パネル３を起立させ、第１フレーム１５が第２フレーム１６と正対する位置まで戸パネル３を移動させる。この状態で戸パネル３を第２フレーム１６に向かって移動させ、第１係合体３０の仮組みガイド部３２に、第２係合体４０の第２の仮組みガイド部８２の前端縁を接当させる。その状態で戸パネル３を第２フレーム１６に向かって押込むことにより、第２フレーム１６が徐々に上向きに押上げられる。仮組みガイド部３２が第２の仮組みガイド部８２の前端縁を潜り抜けるのに連続して、図１４（ａ）に示すように第１係合体３０のパネル側爪部３１の上端が、第２の仮組みガイド部８２の下面を潜り抜け、さらにボルト４４の操作頭部が第２締結座３８の前縁を潜り抜けて、ねじ連結口４６の真下まで移動する。
【００５６】
上記の状態では、第２フレーム１６が自重で落下するので、図１４（ｂ）に示すように第２締結座３８は第１締結座２９で支持され、ボルト４４の操作頭部がねじ連結口４６を介して第２締結座３８の上面に突出する。また、第１係合体３０のパネル側爪部３１が、第２係合体４０の壁側爪部４１と正対して仮組み状態に保持される。以後は戸パネル３を押込み操作することで、ボルト４４のねじ軸をねじ挿通溝４５に係合できる。最後に、パネル上部を前後に調整移動して、戸パネル３が垂直姿勢になった状態でボルト４４を締込んで、第２締結座３８と第１締結座２９を固定する。
【００５７】
以上のように、ねじ挿通溝４５とねじ連結口４６が鍵穴状に形成されていると、仮組み状態において、第２フレーム１６の第２締結座３８が外部衝撃を受けて第１締結座２９から浮き離れることがあったとしても、ボルト４４の操作頭部がねじ連結口４６の内面で受止められるので、第１フレーム１５が第２フレーム１６から分離することはなく、仮組み状態を保持し続けることができる。なお、必要があれば、第２の仮組みガイド部８２の外側面に下向きの垂壁を折曲げ形成することができ、その場合には、第１係合体３０の仮組みガイド部３２を垂壁で受止めて、第１係合体３０が横ずれして第２の仮組みガイド部８２の下面から分離するのを解消できる。
【００５８】
（実施例３）  図１５および図１６に、実施例３に係る本発明の引き戸装置を構成する振止め構造４を示す。そこでは、第２締結座３８の前縁両側にＬ字状の支持脚８４を折り曲げ形成し、支持脚８４の下部どうしを係合枠８５で橋絡するようにした。この実施例では、支持脚８４と係合枠８５が第２係合体４０として機能し、第１締結座２９にねじ込んだボルト４４のねじ軸の下部（図１６に想像線で示した部分）が第１係合体３０として機能する。
【００５９】
上記のように第２係合体４０は、第２締結座３８の前端の下面側に形成することができる。その場合には、第１締結座２９と第２締結座３８を上下に接合したのち、ボルト４４をねじ込むことにより、両締結座２９・３８を分離不能に締結固定することができ、使用途中にボルト４４が緩むことがあったとしても、両締結座２９・３８が分離するのを確実に防止できる。
【００６０】
（実施例４）  図１７に、実施例４に係る本発明の引き戸装置を構成する振止め構造４を示す。そこでは、第１締結座２９の左右両側に、第１締結座２９と面一の矩形の第１係合体３０を横向きに張出し形成し、その前縁に第２係合体３０の壁側爪部４１で受止められるパネル側爪部３１を設けた。また、第２締結座３８の前部の左右両側に、矢印形の第２係合体４０を上向きに折り曲げ形成し、第２係合体４０の下縁に、第２締結座３８より下側へ突出する状態で壁側爪部４１を設けた。さらに、壁側爪部４１に隣接して、第１係合体３０の後端へ向かって上り傾斜する仮組みガイド部３２を形成した。この実施例においては、第１フレーム１５を第２フレーム１６に仮組みする際に、第１係合体３０の後縁の上面が、第２係合体４０の仮組みガイド部３２に接当するため、第２フレーム１６が徐々に上向きに押上げられたのち、パネル側爪部３１の上端が第２係合体４０の下面を潜り抜けた時点で、第２フレーム１６が自重で落下して第２締結座３８の前部が第１締結座２９で支持される。
【００６１】
上記の実施例では、第１締結座２９にボルト４４をねじ込んだが、その必要はなく、ボルト４４は第２締結座３８にねじ込んであってもよく、その場合には、第１締結座２９が第２締結座３８の上面側に接合する状態で仮組みして、両締結座２９・３８をボルト４４で締結固定するとよい。また、ねじ体４４は、ボルトとそのねじ軸にねじ込まれるナットで構成してあってもよい。第２フレーム１６はばねで下向きに移動付勢してあってもよく、その場合には、パネル側爪部３１の上端が第２係合体４０の下面を潜り抜けた時点で、第２フレーム１６を強制的に下降移動させることができる。上下位置調整構造は、調整ガイド軸３６が第２フレーム１６の縦壁３７に固定され、上下調整溝３９が振止めベース１３に形成してある構造であってもよい。仮組みガイド部３２は、湾曲面や円弧面で形成してあってもよい。
【００６２】
本発明に係る振止め構造は、吊車型のランナー体を備えた戸パネル３に適用してもよい。その場合には、スライドレール１１およびアシストユニット５Ａ・５Ｂを戸パネル３の下端に配置し、壁面Ｗに固定した第２フレーム１６と、ガイド体１２に固定した第１フレーム１５で振止め枠１４を構成して、スライドレール１１をガイド体１２でスライド案内するとよい。戸パネル３には、少なくとも１個のアシストユニット５Ａが設けてあればよい。
【符号の説明】
【００６３】
１  開口枠
２  ガイドレール
３  戸パネル
４  振止め構造
５Ａ・５Ｂ  アシストユニット
６  戸車（ランナー体）
１０  装着部
１１  スライドレール
１２  ガイド体
１３  振止めベース
１４  振止め枠
１５  第１フレーム
１６  第２フレーム
１７  締結構造
２２  レール壁
２３  ガイド溝
２４  切換え部
２９  第１締結座
３０  第１係合体
３１  パネル側爪部
３２  仮組みガイド部
３６  調整ガイド軸
３８  第２締結座
３９  上下調整溝
４０  第２係合体
４１  壁側爪部
４４  ボルト（ねじ体）
４５  ねじ挿通溝
４６  ねじ連結口
４９  アシストケース
５０  スライダー
５１  蓄力ばね
５２  ダンパーユニット
５７  ばね溝
６４  ダンパー
６５  ダンパーホルダー
７３  切換えレバー
７４  受動凹部
７５  傾動規制片
７６  ロック爪
７７  角部
７９  ロック開口
【図１】
2019206809.tif 000003
【図２】
2019206809.tif 000004
【図３】
2019206809.tif 000005
【図４】
2019206809.tif 000006
【図５】
2019206809.tif 000007
【図６】
2019206809.tif 000008
【図７】
2019206809.tif 000009
【図８】
2019206809.tif 000010
【図９】
2019206809.tif 000011
【図１０】
2019206809.tif 000012
【図１１】
2019206809.tif 000013
【図１２】
2019206809.tif 000014
【図１３】
2019206809.tif 000015
【図１４】
2019206809.tif 000016
【図１５】
2019206809.tif 000017
【図１６】
2019206809.tif 000018
【図１７】
2019206809.tif 000019